(57)【要約】【課題】再給湯時、安定した温度での給湯が可能となる給湯システムを提供する。【解決手段】給水管１の水と前記給湯管１０の湯とを混合する電動湯水混合弁８からの混合湯を供給する混合給湯管１２の流れを検出する流量センサ１３と、混合湯の温度を検出する混合湯温センサ１４と、制御部１５と、給湯湯温を設定するリモコン１６とを備え、制御部１５は、流量センサ１３により混合湯の流れ検出中に、給湯湯温の設定値と混合湯温センサ１４検出値とが等しくなった時の電動湯水混合弁８の開度を安定開度として記憶し、混合湯の停止を検出後、リモコン１６にて給湯湯温の設定値が変更された場合、変更前後の給湯湯温の差分から電動湯水混合弁８の移動開度を算出、次回給湯開始時に安定開度に移動開度を上乗せした開度で給湯開始する。【選択図】  図４
2008164286.tif 000002
【特許請求の範囲】
【請求項１】
水を供給する給水管と、この給水管を通る水の温度を検出する給水水温センサと、湯を供給する給湯管と、この給湯管を通る温度を検出する給湯湯温センサと、前記給水管からの水と前記給湯管からの湯とを混合する湯水混合弁と、前記湯水混合弁からの混合湯を供給する混合給湯管と、この混合給湯管を通る混合湯の流れを検出する流量センサと、前記混合給湯管を通る混合湯の温度を検出する混合湯温センサと、前記湯水混合弁の開度を制御する制御部と、給湯湯温を設定するリモコンとを備え、
前記制御部は、前記流量センサにより混合湯の供給を検出している際に、前記リモコンで設定された給湯湯温の設定値と前記混合湯温センサの検出値とが等しくなった時の湯水混合弁の開度を安定開度として記憶し、
前記流量センサにて前記混合給湯管を流れる混合湯の停止を検出後、前記リモコンにて給湯湯温の設定値が変更された場合、変更前後の給湯湯温の差分から前記湯水混合弁の移動開度を算出し、次回の給湯開始時には、前記安定開度に前記移動開度を上乗せした開度から給湯を開始させるように制御することを特徴とする給湯システム。
【請求項２】
貯湯槽と、水を供給する給水管と、この給水管を通る水の温度を検出する給水水温センサと、前記貯湯槽に貯えられた湯を供給する給湯管と、前記貯湯槽から前記給湯管へ供給される湯の温度を検出する給湯湯温センサと、前記給水管の水と前記給湯管の湯とを混合する湯水混合弁と、この湯水混合弁からの混合湯を供給する混合給湯管と、前記混合給湯管へ供給される混合湯の流れを検出する流量センサと、前記混合給湯管を流れる混合湯の温度を検出する混合湯温センサと、前記湯水混合弁の開度を制御する制御部と、給湯湯温を設定するリモコンとを備え、
前記制御部は、前記流量センサが前記混合給湯管の混合湯の流れを無しから有りを検出したとき、前記給湯湯温センサの検出値と前記給水水温センサの検出値と前記リモコンで設定された給湯湯温の設定値とに基づいて前記電動湯水混合弁の起動開度を算出し、前記流量センサが混合湯の流れを検出し続けているとき、前記給湯湯温センサの検出値と前記給水水温センサの検出値と前記リモコンで設定された給湯湯温の設定値と前記混合湯温センサの検出値との差分から前記湯水混合弁の開度を制御し、前記混合給湯管を流れる混合湯の温度を検出する混合湯温センサの検出値が前記リモコンで設定された給湯湯温の設定値と等しくなったときに、前記湯水混合弁の現在開度を安定開度として記憶し、前記流量センサが前記混合給湯管の混合湯の流れの停止を検出したら、前記制御部が安定開度を記憶している場合は、前記湯水混合弁の開度を記憶された安定開度へ移動させ、前記制御部が安定開度を記憶していないときは、前記流量センサが混合湯の流れが無しから有りを検出した時に算出された起動開度へ移動させ、次回の給湯開始時には、各々その開度から給湯を開始させるように制御することを特徴とする給湯システム。
【請求項３】
前記流量センサにて前記混合給湯管を流れる混合湯の停止を検出後に前記リモコンにて給湯湯温の設定値が変更された場合、変更前後の給湯湯温の差分から前記湯水混合弁の移動開度を算出し、次回の給湯開始時には、前記安定開度に前記移動開度を上乗せした開度から給湯を開始させるように制御することを特徴とする請求項２に記載の給湯システム。
【発明の詳細な説明】
【技術分野】
【０００１】
本発明は、湯と水との混合手段を備えた給湯システムに関するものである。
【背景技術】
【０００２】
従来の給湯システムは、流量センサ等の水流検出手段により、湯の供給停止信号を検出したときにその直前の湯水混合弁の開度を記憶し、流量センサ等の水流検出手段により、湯の供給有り信号を検出したとき、給湯停止検出時に記憶した開度を湯水混合弁へ出力する。（例えば特許文献１参照）
【０００３】
【特許文献１】特開平５-１１８６０号公報（第２−５頁、図１−９）
【発明の開示】
【発明が解決しようとする課題】
【０００４】
従来の給湯システムは、流量センサ等の水流検出手段により、湯の供給停止信号を検出したときにその直前の湯水混合弁の開度を記憶しているが、給湯停止動作は、給湯流量が徐々に降下していき、給湯停止に至る。給湯流量が低い場合、湯と水の比重の差により、湯と水のバランスが崩れる傾向にあり、給湯停止直前では、高温湯または低温湯を検出することにより、湯水混合弁の制御開度を変更してしまう。制御開度を安定開度から変更された状態で、給湯停止を検出することにより、その時の開度を記憶し、次の給湯開始時はその記憶開度にて湯の供給がされるため、意図している温度と異なる温度で給湯されてしまう。
【０００５】
本発明は、上記のような問題点を解決する為になされたもので、再給湯時、安定した温度での給湯が可能となる給湯システムを提供することを目的とする。
【課題を解決するための手段】
【０００６】
本発明に係る給湯システムは、水を供給する給水管と、この給水管を通る水の温度を検出する給水水温センサと、湯を供給する給湯管と、この給湯管を通る温度を検出する給湯湯温センサと、給水管からの水と給湯管からの湯とを混合する湯水混合弁と、湯水混合弁からの混合湯を供給する混合給湯管と、この混合給湯管を通る混合湯の流れを検出する流量センサと、混合給湯管を通る混合湯の温度を検出する混合湯温センサと、湯水混合弁の開度を制御する制御部と、給湯湯温を設定するリモコンとを備え、制御部は、流量センサにより混合湯の供給を検出している際に、リモコンで設定された給湯湯温の設定値と混合湯温センサの検出値とが等しくなった時の湯水混合弁の開度を安定開度として記憶し、流量センサにて混合給湯管を流れる混合湯の停止を検出後、リモコンにて給湯湯温の設定値が変更された場合、変更前後の給湯湯温の差分から湯水混合弁の移動開度を算出し、次回の給湯開始時には、安定開度に移動開度を上乗せした開度から給湯を開始させるように制御するものである。
【発明の効果】
【０００７】
本発明は上述の構成により、給湯中に安定した湯水混合弁の開度を記憶し、次回の給湯開始時は、その安定開度から給湯を開始させるように制御するので、再給湯時の大幅な湯温変動を防ぐことができる。
【発明を実施するための最良の形態】
【０００８】
実施の形態１．
以下、本発明の実施の形態１について説明する。
図１は本発明の実施の形態１を示す給湯システムの構成図、図２は本発明の実施の形態１を示す給湯システムの制御回路のブロック図、図３は本発明の実施の形態１を示す給湯システムの制御動作のフローチャートである。
【０００９】
図１において、１は水源から水を各部に供給する給水管、２は水源から供給される水の圧力を減圧する減圧弁、３は水または湯を貯める貯湯槽、４は貯湯槽１内の水を沸き上げる発熱体、５は貯湯槽３内の水の沸き上げ制御時に用いる沸き上げ湯温センサ、６は給水管１から分岐して貯湯槽２の下部に接続される貯湯槽給水管、７は沸き上げにより体積膨張した湯を排水する逃がし弁、８は設定湯温を供給するための電動湯水混合弁、９は貯湯槽３から供給される給湯湯温を検出する給湯湯温センサ、１０はその湯を湯水混合弁８に供給する給湯管、１１は供給される水温を検出する給水水温センサ、１２は湯水混合弁８により設定湯温に混合された湯を供給する混合給湯管、１３は給湯の供給を検出する流量センサ、１４は湯水混合弁８で混合された混合湯の温度を検知する混合湯温センサ、１５は給湯システム全体の制御を司る制御部であり、タイマ機能、メモリ（記憶手段）を有し、リモコン１６の各設定や前記沸き上げ湯温センサ５、給湯湯温センサ９、給水水温センサ１１、流量センサ１３、混合湯温センサ１４などの検出値に基づき、前記発熱体４への通電や電動湯水混合弁８の駆動を制御する。
【００１０】
次に実施の形態１の動作について、図３のフローチャートを用いて説明する。
蛇口等が開かれることにより、流量センサ１３にて湯の流れを検出した場合(処理Ｓ１)、給湯湯温センサ９と、給水水温センサ１１と、リモコン１６で設定された給湯湯温の設定値から、湯水混合弁８の起動開度Ｋ１を制御部１５で算出する(処理Ｓ２)。電動湯水混合弁の駆動範囲を０[STEP]〜１０５０[STEP]、給湯湯温をTｈ、給水水温をTｗ、給湯湯温設定値をＴｓとすると、起動開度Ｋ１は、以下の式で求められる。
【００１１】
【数１】
2008164286.tif 000003
【００１２】
処理Ｓ１にて給湯開始信号を検出していない場合は、処理Ｓ３へ進み、電動湯水混合弁８の現在開度Ｋｇを０[STEP]、安定開度Ｋａを０[STEP]とし、電動湯水混合弁８を水側全開の状態で、処理Ｓ１へ戻る。次に処理Ｓ４へ進み、電動湯水混合弁８の現在開度Ｋｇを起動開度Ｋ１まで駆動し、混合湯温センサ１４の検出温度Ｔ１が、リモコン１６で設定された給湯湯温の設定値Ｔｓと比較し(処理Ｓ５)、検出温度Ｔ１とリモコン１６の給湯湯温の設定値Ｔｓとが同一であれば、処理Ｓ６へ進み、総補正開度Ｋｓを安定開度Ｋａとして記憶し、処理Ｓ１０へ進む。処理Ｓ５にて検出温度Ｔ１とリモコン１６の給湯湯温の設定値Ｔｓが異なっていれば、処理Ｓ７へ進み、補正開度Ｋｃを算出する。補正開度Ｋｃは、以下の式で求められる。
【００１３】
【数２】
2008164286.tif 000004
【００１４】
補正開度Ｋｃ算出後、処理Ｓ８へ進み、総補正開度Ｋｓへ補正開度Ｋｃを加算する。
次に処理Ｓ９へ進み、電動湯水混合弁８の現在開度Ｋｇが起動開度Ｋ１＋総補正開度Ｋｓまで駆動し、処理Ｓ１０へ進む。処理Ｓ１０にて流量センサ１３により給湯停止を検出していない場合は、処理Ｓ５へ戻り、給湯停止を検出した場合は、処理Ｓ１１へ進み、給湯停止タイマｔをスタートさせる。
【００１５】
次に処理Ｓ１２へ進み、安定開度Ｋａが記憶されているか確認し、記憶されていれば、処理Ｓ１３へ進み、電動湯水混合弁８の現在開度Ｋｇが起動開度Ｋ１＋安定開度Ｋａまで駆動し、処理Ｓ１５へ進む。
処理Ｓ１２にて安定開度Ｋａが記憶されていない場合は、処理Ｓ１４へ進み、電動湯水混合弁８の現在開度Ｋｇが起動開度Ｋ１まで駆動し、処理Ｓ１５へ進む。処理Ｓ１５にて給湯停止タイマｔが所定時間(例えば１０分)経過しているか確認し、経過していれば、処理Ｓ１へ戻り、経過していなければ、処理Ｓ１６へ進む。処理Ｓ１６にて流量センサ１３により給湯開始を検出した場合は、処理Ｓ５へ進み、給湯停止のままであれば、処理Ｓ１５へ戻る。
【００１６】
以上のように、本実施の形態１によれば、給湯中に、リモコン１６にて設定された給湯湯温の設定値と、電動湯水混合弁８にて混合された混合湯の検出湯温が同一値を検出した時の電動湯水混合弁８の開度を安定開度として記憶し、次回給湯開始時は、その安定開度にて給湯が開始される為、蛇口開閉による意図しない温度の給湯を防止できる。
【００１７】
実施の形態２．
本発明の実施の形態２について説明する。
機器の構成については、実施の形態１と同様なので省略する。
【００１８】
次に、実施の形態２の動作について、図４のフローチャートを用いて説明する。
処理Ｓ１〜処理Ｓ１５までは、実施の形態１とまったく同一の為、説明は省略する。
処理Ｓ１５にて給湯停止タイマｔが所定時間(例えば１０分)経過していなければ、処理Ｓ１７へ進み、リモコン１６にて給湯湯温の設定値の変更が行われたか確認し、変更されていれば、処理Ｓ１８へ進み、変更されていなければ、処理Ｓ１６へ進む。処理Ｓ１８では、停止時補正開度Ｋｈを算出する。停止時補正開度Ｋｈは、変更前の給湯湯温の設定値をＴｓ、変更後の給湯湯温の設定値をＴｈとすると、以下の式で求められる。
【００１９】
【数３】
2008164286.tif 000005
【００２０】
停止時補正開度Ｋｈ算出後、処理Ｓ１９へ進み、安定開度Ｋａが記憶されているか確認し、記憶されていれば、処理Ｓ２０へ進み、電動湯水混合弁８の現在開度Ｋｇが起動開度Ｋ１＋安定開度Ｋａ＋停止時補正開度Ｋｈまで駆動し、処理Ｓ１６へ進む。処理Ｓ１９にて安定開度Ｋａが記憶されていない場合は、処理Ｓ２１へ進み、電動湯水混合弁８の現在開度Ｋｇが起動開度Ｋ１＋停止時補正開度Ｋｈまで駆動し、処理Ｓ１５へ進む。
【００２１】
処理Ｓ１６の詳細説明は、実施の形態１と同一の為、省略する。
【００２２】
以上のように、この実施の形態２によれば、給湯中に、リモコン１６にて設定された給湯湯温の設定値と電動湯水混合弁８にて混合された混合湯の温度が同一値を検出した時の電動湯水混合弁８の開度を安定開度として記憶し、給湯停止中に、リモコン１６にて給湯湯温の設定値が変更された場合、給湯湯温の変更分の補正開度を停止中の現在開度に加算するため、次回給湯開始時は、給湯湯温の変更後の温度にて給湯が開始される為、蛇口開閉による意図しない温度の給湯を防止できる。
【図面の簡単な説明】
【００２３】
【図１】本発明の実施の形態１を示す給湯システムの構成図である。
【図２】本発明の実施の形態１を示す給湯システムの制御回路のブロック図である。
【図３】本発明の実施の形態１を示す給湯システムの制御動作のフローチャートである。
【図４】本発明の実施の形態２を示す給湯システムの制御動作のフローチャートである。
【符号の説明】
【００２４】
１  給水管
２  減圧弁
３  貯湯槽
４  発熱体
５  沸き上げ湯温センサ
６  貯湯槽給水管
７  逃がし弁
８  電動湯水混合弁
９  給湯湯温センサ
１０  給湯管
１１  給水水温センサ
１２  混合給湯管
１３  流量センサ
１４  混合湯温センサ
１５  制御部
１６  リモコン
【図１】
2008164286.tif 000006
【図２】
2008164286.tif 000007
【図３】
2008164286.tif 000008
【図４】
2008164286.tif 000009